(57)【要約】【課題】効果の高いストレッチを行うことを可能とするストレッチ装置を提供することである。【解決手段】ユーザーが横たわることが可能なストレッチベッド部１２と、ストレッチベッド部１２を床面から所定の高さ位置で支持する支持部１４と、を備えるストレッチ装置１０であって、ストレッチベッド部１２は、長手方向に沿った両端部が上面視で略Ｕ字形状を有しており、両端部に向かうほど床面に近づくように曲げられている。また、支持部１４は、所定の高さ位置を変更可能な調整部を含む。さらに、ストレッチベッド部１２または支持部１４に固定されており、ストレッチベッド部１２の長手方向の一方側の端部から所定の間隔をおいて立設される足置き部を備える。【選択図】図１
2018000407.tif 000002
【特許請求の範囲】
【請求項１】
ユーザーが横たわることが可能なストレッチベッド部と、
前記ストレッチベッド部を床面から所定の高さ位置で支持する支持部と、
を備えるストレッチ装置であって、
前記ストレッチベッド部は、長手方向に沿った両端部が上面視で略Ｕ字形状を有しており、前記両端部に向かうほど前記床面に近づくように曲げられていることを特徴とするストレッチ装置。
【請求項２】
請求項１に記載のストレッチ装置において、
前記支持部は、前記所定の高さ位置を変更可能な調整部を含むことを特徴とするストレッチ装置。
【請求項３】
請求項１または請求項２に記載のストレッチ装置において、
前記ストレッチベッド部または前記支持部に固定されており、前記ストレッチベッド部の長手方向の一方側の端部から所定の間隔をおいて立設される足置き部をさらに備えることを特徴とするストレッチ装置。
【発明の詳細な説明】
【技術分野】
【０００１】
本発明は、ストレッチ装置に関する。
【背景技術】
【０００２】
従来、床面にヨガマットなどの柔軟性を有するシートを敷き、その上でストレッチを行い、筋肉の柔軟性を高め関節の可動域を広げるといった健康維持活動やダイエット活動などがなされている。
【０００３】
本発明に関連する技術として、例えば、特許文献１には、左右の側枠及びそれらを結合する前後の結合部材を有し、被介護者、装備及び付属品を含む全荷重を負担する構造強度を有するベッド本体と、被介護者の上半身側に位置して、上記上半身側を起こすか、或いは持ち上げるように前後複数点で支持された上部可動床及びその駆動手段と、被介護者の下半身側に位置して、上記下半身側を起こすとともに持ち上げるように前後複数点で支持された下部可動床及びその駆動手段とを具備して構成された多目的ベッド装置が開示されている。
【先行技術文献】
【特許文献】
【０００４】
【特許文献１】特開２０１１−１２５４８４号公報
【発明の概要】
【発明が解決しようとする課題】
【０００５】
しかしながら、床面にシートを敷き、例えば、シート上に仰向けで横たわった場合にシートと背中との間に空間領域が形成されるため、背筋を十分に伸ばすことができないという課題がある。
【０００６】
本発明の目的は、より効果の高いストレッチを行うことを可能とするストレッチ装置を提供することである。
【課題を解決するための手段】
【０００７】
本発明に係るストレッチ装置は、ユーザーが横たわることが可能なストレッチベッド部と、前記ストレッチベッド部を床面から所定の高さ位置で支持する支持部と、を備えるストレッチ装置であって、前記ストレッチベッド部は、長手方向に沿った両端部が上面視で略Ｕ字形状を有しており、前記両端部に向かうほど前記床面に近づくように曲げられていることを特徴とする。
【０００８】
また、本発明に係るストレッチ装置において、前記支持部は、前記所定の高さ位置を変更可能な調整部を含むことが好ましい。
【０００９】
また、本発明に係るストレッチ装置において、前記ストレッチベッド部または前記支持部に固定されており、前記ストレッチベッド部の長手方向の一方側の端部から所定の間隔をおいて立設される足置き部をさらに備えることが好ましい。
【発明の効果】
【００１０】
本発明によれば、両端部に向かうほど床面に近づくように曲げられているストレッチベッド部が備えられている。したがって、体の形状に沿って筋肉を伸ばすことができるため、より効果の高いストレッチを行うことができる。
【図面の簡単な説明】
【００１１】
【図１】本発明に係る実施形態のストレッチ装置の斜視図である。
【図２】本発明に係る実施形態のストレッチ装置の側面図である。
【図３】本発明に係る実施形態のストレッチ装置の上面図である。
【図４】本発明に係る実施形態のストレッチ装置において、ユーザーが横向きの状態でストレッチベッド部に横たわっている様子を示す図である。
【図５】本発明に係る実施形態のストレッチ装置において、ユーザーがうつ伏せの状態でストレッチベッド部に横たわっている様子を示す図である。
【図６】本発明に係る実施形態のストレッチ装置において、ストレッチベッド部１２に跨った状態で座っている様子を示す図である。
【発明を実施するための形態】
【００１２】
以下に、本発明に係る実施の形態について添付図面を参照しながら詳細に説明する。以下では、全ての図面において同様の要素には同一の符号を付し、重複する説明を省略する。また、本文中の説明においては、必要に応じそれ以前に述べた符号を用いるものとする。
【００１３】
図１は、ストレッチ装置１０の斜視図である。図２は、ストレッチ装置１０の側面図である。図３は、ストレッチ装置１０の上面図である。
【００１４】
ストレッチ装置１０は、ストレッチベッド部１２と、支持部１４と、手すり部１６と、足置き部１８とを備えている。ストレッチ装置１０は、ユーザーが横たわったり、跨ったりすることで、ユーザーがより効果的にストレッチを行うことができる装置である。
【００１５】
ストレッチベッド部１２は、ユーザーが横たわることが可能なベッドである。ストレッチベッド部１２は、長手方向に沿った両側の端部２０Ｔ，２０Ｂが上面視で略Ｕ字形状を有しており、夫々の端部２０Ｔ，２０Ｂに向かうほど床面に近づくように曲げられている。
【００１６】
ストレッチベッド部１２は、所定の緩衝部材を有し、これらの緩衝部材が合皮や本革などで被覆されたクッション部２２と、クッション部２２の周囲を覆い適度な強度を有する外枠体２４とを備えている。外枠体２４は、適度な強度を有する材質、例えば、ステンレス等で構成される。
【００１７】
ストレッチベッド部１２の長手方向の長さは、例えば、１４０ｃｍ〜１６０ｃｍの間で設定する。また、ストレッチベッド部１２の短手方向の長さは、例えば、５０ｃｍ〜７０ｃｍの間で設定する。ストレッチベッド部１２の床面からの高さは、例えば、３０ｃｍ〜５０ｃｍの間で設定する。
【００１８】
支持部１４は、ストレッチベッド部１２を床面から所定の高さ位置で支持する。支持部１４は、ストレッチベッド部１２の底面部を支持する４つの立柱部２６を備える。４つの立柱部２６は、適度な強度を有する材質、例えば、ステンレス等で構成される。
【００１９】
４つの立柱部２６のストレッチベッド部１２の長手方向に沿った間隔は、７０ｃｍ〜９０ｃｍの間に設定される。また、４つの立柱部２６のストレッチベッド部１２の短手方向に沿った間隔は、５０ｃｍ〜７０ｃｍの間に設定される。
【００２０】
立柱部２６は、ストレッチベッド部１２と接合する第１立柱部２６ａと、第１立柱部２６ａよりも断面積が大きく第１立柱部２６ａを収納する中空を有する第２立柱部２６ｂとを備える。第２立柱部２６ｂの底面には、円形の足部が設けられ、これらが床面と面接触することで立柱部２６が支えられる。
【００２１】
第１立柱部２６ａ及び第２立柱部２６ｂには、延伸方向に所定の間隔をおいて複数の貫通孔が対応する位置に形成されており、これらの貫通孔の位置を合わせてピン部材を挿入することにより、高さ位置が調整できるようになっている。立柱部２６は、第１立柱部２６ａと第２立柱部２６ｂとの位置関係を調整することにより、３０ｃｍ〜５０ｃｍの間の高さに設定される。
【００２２】
手すり部１６は、ストレッチベッド部１２の短手方向の両端部において、長手方向の中央部から足置き部１８が位置する側と反対側に向けて立設される。手すり部１６の高さは、１０ｃｍ〜２０ｃｍの間に設定される。また、手すり部１６の長さは、３０ｃｍ〜５０ｃｍの間に設定される。手すり部１６は、適度な強度を有する材質、例えば、ステンレス等で構成される。  
【００２３】
足置き部１８は、ストレッチベッド部１２または支持部１４に固定されており、ストレッチベッド部１２の長手方向の一方側の端部から所定の間隔をおいて立設される、足置き部１８は、図１に示されるように、ストレッチベッド部１２の短手方向の中央部から長手方向に延びる延伸部１８ａと、延伸部１８ａと垂直に交わる一文字部１８ｂと、一文字部１８ｂに跨るＵ字部１８ｃとを備える。足置き部１８は、適度な強度を有する材質、例えば、ステンレス等で構成される。
【００２４】
足置き部１８において、延伸部１８ａの長さは５０ｃｍ〜７０ｃｍの間に設定され、一文字部１８ｂの長さは６０ｃｍ〜７０ｃｍの間に設定され、Ｕ字部１８ｃの高さは２０ｃｍ〜３０ｃｍの間に設定される。
【００２５】
続いて、ストレッチ装置１０の作用について説明する。ストレッチ装置１０において、ストレッチベッド部１２が両側の端部２０Ｔ，２０Ｂに向かうほど床面に近づくように曲げられていることから、ユーザーが仰向けで寝転んだ場合に、ユーザーの背骨の形状に沿って筋肉を伸ばすことができるため、床面にマットを引いてストレッチを行う場合に比べて、より効果の高いストレッチを行うことができるという利点がある。
【００２６】
ストレッチ装置１０を用いることで、上記のように、ユーザーは、より効果の高いストレッチを行うことができるが、仰向けに寝転んだ姿勢以外でも様々な姿勢でストレッチを行うことができる。以下では、その中の数例について説明する。
【００２７】
図４は、ユーザーが横向きの状態でストレッチベッド部１２に横たわっている様子を示す図である。図４に示されるように、ユーザーは、ストレッチベッド部１２に横たわり、左手で一方側の手すり部１６の内部を通して手すり部１６の縦軸部を握り、右手で他方側の手すり部１６の横軸部を握る。この状態にすることで、例えば、ユーザーの脇腹をしっかりと伸ばすことができる。
【００２８】
また、図４に示されるように、ユーザーがこのように横たわった状態で、横にトレーナーが付き、足を曲げ伸ばしたりすることで、前腿や裏腿などのストレッチを行うことができる。また、この際、トレーナーが例えば、身長が低ければ、立柱部２６の間に跨った横軸部１４ａに足を掛けることで、無理な姿勢なくユーザーのストレッチのサポートが行える。さらに、ストレッチ装置１０において、ストレッチベッド部は長手方向に沿った両側の端部２０Ｔ，２０Ｂが上面視で略Ｕ字形状を有しているため、トレーナーはユーザー側に踏み込んでサポートを行うことができる。
【００２９】
図５は、ユーザーがうつ伏せの状態でストレッチベッド部１２に横たわっている様子を示す図である。図５に示されるように、ユーザーは、ストレッチベッド部１２にうつ伏せで横たわり、適度な強度を有する伸縮ベルト３０を足置き部１８のＵ字部１８ｃに括り付けて、足に引掛ける。例えば、図５に示される状態のまま足の裏を腿側に引き付ける動作を行うことで、伸縮ベルト３０の付勢力に抗した力が必要となるため、筋力トレーニングを行うことができるという効果がある。
【００３０】
図６は、ストレッチベッド部１２に跨った状態で座っている様子を示す図である。図６に示されるように、ユーザーは、ストレッチベッド部１２に跨って座る。ストレッチベッド部１２は、床面と平行な形状ではなく、端部２０Ｔ，２０Ｂに向けて床面に曲げられている形状であるため、床の上にマットを敷いて開脚する場合に比べて、楽な状態でストレッチを行うことができる。したがって、体の固いユーザーも開脚ストレッチを始めやすいという利点がある。
【符号の説明】
【００３１】
１０  ストレッチ装置、１２  ストレッチベッド部、１４  支持部、１６  手すり部、１８  足置き部、１８ａ  延伸部、１８ｂ  一文字部、１８ｃ  Ｕ字部、２０Ｔ  端部、２０Ｂ  端部、２２  クッション部、２４  外枠体、２６  立柱部、２６ａ  第１立柱部、２６ｂ  第２立柱部。
【図１】
2018000407.tif 000003
【図２】
2018000407.tif 000004
【図３】
2018000407.tif 000005
【図４】
2018000407.tif 000006
【図５】
2018000407.tif 000007
【図６】
2018000407.tif 000008